(57)【要約】【課題】軒樋継手と軒樋との間の接着状態を容易に確認できる軒樋継手を提供する。【解決手段】軒樋の端部間に跨って内嵌され、一方の軒樋と他方の軒樋とを接続する樋状体を備え、樋状体７には、軒樋の端部を接着させる接着部２４Ａ，２４Ｂを有し、接着部２４Ａ，２４Ｂは、透明又は半透明に形成されていることを特徴とする。【選択図】図３
2015068082.tif 000002
【特許請求の範囲】
【請求項１】
軒樋の端部間に跨って内嵌され、一方の前記軒樋と他方の前記軒樋とを接続する樋状体を備え、
前記樋状体には、前記軒樋の端部を接着させる接着部を有し、
前記接着部は、透明又は半透明に形成されていることを特徴とする軒樋継手。
【請求項２】
前記接着部には、接着剤充填孔が形成されていることを特徴とする請求項１に記載の軒樋継手。
【請求項３】
一方の前記軒樋の端部を接着させる接着部と他方の前記軒樋の端部を接着させる接着部との間は、前記軒樋と同色に形成されていることを特徴とする請求項１又は２に記載の軒樋継手。
【請求項４】
前記接着部には、接着剤の充填状態を確認する確認窓が形成されていることを特徴とする請求項１から３のいずれか一項に記載の軒樋継手。
【請求項５】
請求項１〜４のいずれか一項に記載の軒樋継手を用いて軒樋を接続させたことを特徴とする軒樋の接続構造。
【発明の詳細な説明】
【技術分野】
【０００１】
本発明は、軒樋継手及び軒樋の接続構造に関する。
【背景技術】
【０００２】
軒樋は、所定の長さ寸法で成形又は切断された複数のものを軒樋継手によって接続させて、家屋等の軒先に設置される。
軒樋の接続構造としては、従来より、互いに突き合された上流側の軒樋の端部と下流側の軒樋の端部との間に軒樋継手を内嵌させて２つの軒樋を接続する方法が知られている（例えば、特許文献１参照）。この軒樋継手の内側には、雨水の流路となる内部空間が形成され、上流側の軒樋内の雨水は、軒樋継手の内部空間を通って下流側の軒樋側に流されるようになっている。
なお、軒樋は、鼻隠し板側に対向配置させる後方側板と、底板と、軒先の外側に配置させる前方側板と、を備え、後方側板及び前方側板のそれぞれの上端部に軒樋吊具の被係止部に係止させる後方耳部と前方耳部とが形成された構成となっている。
【０００３】
上記軒樋継手（いわゆるインサイドジョイント）を用いて軒樋を軒先に設置する場合、以下のような手順により行う。
まず、軒樋の後方耳部を軒樋吊具に取り付け、前方耳部を解放状態としておく。前方側板を手前側に引き拡開させて軒樋の内部空間を拡げ、外面に接着剤を塗布しておいた軒樋継手を軒樋の端部間に亘って配置し、まず軒樋の後方側板と底板とを当接させる。その後、前方側板の拡開を解いて軒樋継手の前方側板に当接させ、軒樋と軒樋継手とを完全に接着する。その上で、軒樋の前方耳部を軒樋吊具に固定する。
【先行技術文献】
【特許文献】
【０００４】
【特許文献１】特許第４７９７７９９号公報
【発明の概要】
【発明が解決しようとする課題】
【０００５】
ところで、軒樋及び軒樋継手の設置に際しては、従来より、軒樋継手の外面に接着剤を十分に塗布することなく軒樋に取り付けてしまうことがあった。又は、施工者が軒樋継手の設置手順を誤って、軒樋の後方耳部及び前方耳部を先に軒樋吊具に係止してしまうことがあり、この場合、軒樋継手を軒樋内に押し込むようにして嵌合させざるを得ないため、外周面に塗布した接着剤が軒樋の端縁で掻き落とされてしまうということがあった。
しかし、従来の軒樋継手では、接着剤の塗工状態（ないし接着状態）すなわち止水性がそのままでは確認できないという問題があった。すなわち、従来の軒樋継手では、軒樋から軒樋継手を通過するように水を流して水漏れの有無を確認する方法で接着状態を確認しなければならず、その確認作業が煩雑であるという問題があった。
本発明は、軒樋継手と軒樋との間の接着剤の状態の確認が容易な軒樋継手及び軒樋の接続構造を提供することを課題とする。
【課題を解決するための手段】
【０００６】
本発明は、軒樋の端部間に跨って内嵌され、一方の前記軒樋と他方の前記軒樋とを接続する樋状体を備え、前記樋状体には、前記軒樋の端部を接着させる接着部を有し、前記接着部は、透明又は半透明に形成されていることを特徴とする。
この構成によれば、軒樋継手と軒樋の端部とを接着した状態で、軒樋継手の外面に塗布した接着剤の塗布状態を視認することができる。
【０００７】
本発明の前記接着部には、接着剤充填孔が形成されていることが好ましい。
この構成によれば、軒樋と軒樋継手とを接着させた後で、更に接着剤を充填することができる。
【０００８】
本発明に係る軒樋継手においては、一方の前記軒樋の端部を接着させる接着部と他方の前記軒樋の端部を接着させる接着部との間は、前記軒樋と同色に形成されているのが好ましい。
この構成によれば、軒樋の端部間に軒樋継手を内嵌させた際に、軒樋間に隙間が形成された場合でも、軒樋と同色に形成された接着部間が軒樋の端部間に位置するため、端部間の隙間が目立たず軒樋と軒樋継手とが外観的に一体的になる。
【０００９】
本発明の前記接着部には、接着剤の充填状態を確認する確認窓が形成されていてもよい。  
この構成によれば、確認窓からも接着剤の充填状態を確認することができる。
【００１０】
本発明に係る軒樋の接続構造は、上記いずれかに記載の軒樋継手を用いて軒樋を接続させたことを特徴とする。
この構成によれば、上記いずれかの作用又は機能を有する軒樋の接続構造とすることができる。
【発明の効果】
【００１１】
本発明によれば、軒樋継手と軒樋との間の接着剤の塗布状態を容易に確認することができるという効果を奏する。
【図面の簡単な説明】
【００１２】
【図１】本発明の一実施形態に係る軒樋の接続構造を示した斜視図である。
【図２】本発明の一実施形態に係る軒樋継手の側面図である。
【図３】本発明の一実施形態に係る軒樋継手を後方側板側の斜め上方から視た斜視図である。
【図４】本発明の一実施形態に係る軒樋継手を前方側板側の斜め上方から見た斜視図である。
【図５】本発明の一実施形態に係る軒樋継手を前方側板側の斜め下方から見た斜視図である。
【図６】本発明の一実施形態に係る軒樋継手に形成された接着剤充填孔から接着剤を充填する方法を要部を拡大して示した断面図である。
【発明を実施するための形態】
【００１３】
以下、本発明に係る実施形態の軒樋継手について、図面を参照して詳細に説明する。
図１に示すように、本実施形態の軒樋の接続構造Ｃは、軒樋継手１と、軒樋２，３とを備え、軒樋２，３の各端部４，５間に跨って軒樋継手１を内嵌させている。
【００１４】
軒樋２は、建物の鼻隠板（図示せず）に対向配置させる後方側板２１と、後方側板２１から離間して対向配置され、軒先（不図示）の外側に配置される前方側板２２と、後方側板２１の下端部と前方側板２２の下端部とを連結する底板２３とを有している。
また後方側板２１及び前方側板２２のそれぞれの上端部には不図示の軒樋吊具に係止させる後方耳部２８及び前方耳部２９が形成されている。軒樋３は、軒樋２と同形状に形成されている。
【００１５】
軒樋継手１は、一方の軒樋２から他方の軒樋３亘って連通した雨水の流路となる内部空間６を形成し、上面が開放された多角形状の樋状体７を備えている。
樋状体７は、軒樋２，３の形状に合わせて形成され、軒樋２，３の前方側板２２，底板２３，後方側板２１にそれぞれ当接させる前方側板８と、底板１０と、後方側板９とを有している。
図２に示すように、前方側板８には、図１に示す軒樋２，３の内面形状に合わせて形成された凹凸部１１，１１及び前方側板８の上端部に形成されて軒樋の前方耳部２９（図１参照）を把持する把持部１３が形成されている。
【００１６】
図３，図４に示すように、樋状体７は、図１に示す軒樋２，３の端部４，５に内嵌し、端部４，５と接着する領域となる接着部２４Ａ，２４Ｂを備えている。
接着部２４Ａ，２４Ｂは、樋状体７の側端部７ａ，７ｂ間方向の中央寄りの位置において前方側板８、底板１０、後方側板９の連設方向に帯状に設けられた接着領域であり、透明又は半透明に形成されている。
【００１７】
接着部２４Ａ，２４Ｂの幅は、軒樋２，３と軒樋継手１との接着により十分に止水性が確保できる寸法に設定されている。
また、接着部２４Ａ，２４Ｂの外面は、シボ形状等による印が形成され、接着剤の塗布領域が分かるように表示されている。
【００１８】
接着部２４Ａ，２４Ｂの間は中央部２５とされ、軒樋２，３と同化し得るように軒樋２，３と略同色に形成されている。
中央部２５は、前方側板８、底板１０、後方側板９の連設方向に帯状に、樋状体７の側端部７ａ，７ｂ間の略中央部に位置するように形成されている。また、中央部２５の幅寸法は、軒樋２，３を軒樋継手１により接続した際に軒樋２，３間に形成され得る隙間よりも大きい寸法で形成されている。
【００１９】
接着部２４Ａ，２４Ｂ及び中央部２５以外の部分は、任意の色にすることができるが、本実施形態では、接着部２４Ａ，２４Ｂと同色に形成され、樋状体７全体として２色成形されている。
【００２０】
接着部２４Ａ，２４Ｂには、図４，図５に示すように、前方側板８，後方側板９及び底板１０のそれぞれに接着剤充填孔１４が形成されている。
接着剤充填孔１４は、接着部２４Ａ，２４Ｂの幅方向の中央部に形成されている。
前方側板８及び後方側板９に形成された接着剤充填孔１４は、後方側板９の高さ方向中央部に形成されている。また、接着部２４Ａ，２４Ｂの底板１０に形成された接着剤充填孔１４は、底板１０の幅方向中央部に形成されている。
【００２１】
接着剤充填孔１４の形状及び寸法は、円形，正方形，長方形，その他の他角形等、接着剤を充填するノズル２６（図６参照）の先端形状に合わせて任意の形状とすることができる。
図６に示すように、接着剤充填孔１４の内周面はテーパ状に形成され、接着剤Ｓを充填するノズル２６の先端をガイドして前方側板８，後方側板９又は底板１０に対して垂直に挿入させ、かつ、この姿勢で保持しやすいように形成されている。
【００２２】
図３，図４及び図６に示すように、前方側板８，後方側板９及び底板１０の内面（内部空間６側の面）側には、接着剤充填孔１４を囲繞するように僅かに立ち上がる環状壁部１８が設けられ、接着剤のノズル２６の先端（図６参照）の補助的に支持できるようになっている。
【００２３】
図３から図５に示すように、接着部２４Ａ，２４Ｂの外面（内部空間６の反対側の面）２７側には、前方側板８，底板１０及び後方側板９に形成された接着剤充填孔１４，１４，１４間を連通する凹溝１９が、それぞれ形成されている。
凹溝１９の幅は、接着剤充填孔１４をこの凹溝１９内に位置させ、軒樋継手１と軒樋２，３との間の止水が担保できるように設定されている。凹溝１９の深さは、軒樋継手１の膨潤に影響しない範囲で形成されている。
【００２４】
図３に示すように、接着部２４Ａ，２４Ｂには、前方側板８と底板１０との間に亘って接着剤の到達位置を確認することのできる確認窓３０が長孔形状で形成されている。
【００２５】
次に、軒樋の接続構造Ｃの組み立て方法と軒樋継手１の作用について説明する。
図１に示すように、一方の軒樋２と他方の軒樋３とを接続するには、まず、軒樋２，３のそれぞれの後方耳部２８を不図示の軒樋吊具の被係合部に係合させ、前方耳部２９を軒樋吊具（不図示）に係止させない解放状態としておく。
【００２６】
そして、軒樋２，３の各前方側板２２の上部を手前に引いて内部空間６を拡大させ、この状態で樋状体７の外面２７（図２参照）に接着剤を塗工させておいた軒樋継手１を軒樋２，３に内嵌させ、軒樋継手１の後方側板９及び底板１０を端部４，５の内面に当接させて接着する。その後軒樋２，３の前方側板２２の拡開を解き、軒樋２，３の前方側板２２と樋状体７の前方側板８とを当接させて接着する。
これにより、軒樋継手１と軒樋２，３とが接着され、軒樋２，３が軒樋継手１を介して接続され軒樋の接続構造Ｃが完成する。
【００２７】
ところで、軒樋継手１を軒樋２，３に内嵌させる際、図２に示す樋状体７の外面２７が軒樋２，３に接触して、樋状体７に塗布された接着剤が掻き落とされたり、そもそも外面２７への接着剤の塗布が不十分であったりすることが起こり得る。これらの場合、軒樋継手１と軒樋２，３との間の接着力が弱くなったり止水性が確保されなかったりするおそれがある。
【００２８】
しかし、軒樋継手１によれば、図３〜図５に示す接着部２４Ａ，２４Ｂが透明又は半透明に形成されているため、軒樋継手１の内側から接着剤の塗工状態を視認することができる。したがって、軒樋継手１を通過するように軒樋２，３に実際に水を流して止水性を確認するという手間を省いて極めて容易に止水性を確認することができるという効果が得られる。
【００２９】
また、軒樋２，３と軒樋継手１との接着後に接着剤の状態を視認することができるため、接着剤が不十分な箇所を特定することができるという効果が得られる。
そして、接着部２４Ａ，２４Ｂにおいて、接着剤の塗工が不十分となっている箇所を見つけた場合には、図６に示すように、当該箇所に近い位置に形成された接着剤充填孔１４から接着剤Ｓを充填することができる。
【００３０】
このように、軒樋２，３と軒樋継手１とを接続させた後で接着剤充填孔１４から接着剤Ｓを充填すると、接着剤Ｓが、図３〜図５に示された凹溝１９に導かれて接着部２４Ａ，２４Ｂの延在方向に拡がる。そして、接着剤充填孔１４からの接着剤の注入中においても、接着剤の拡がりを確認することができる。
したがって、軒樋継手１によれば、接着剤の充填状態を視認により容易かつ確実に確認することができ、接着剤の塗工が不十分な箇所を特定した上で確実に接着剤を充填して、軒樋継手１と軒樋２又は軒樋３との間の接着力及び止水性を確保することができるという効果が得られる。
【００３１】
また、接着部２４Ａ，２４Ｂには確認窓３０が形成されているため、軒樋継手１の前方側板８の内側が見辛い場合であっても、確認窓３０を介して接着剤の拡がりを確認することができるという効果が得られる。
【００３２】
更に、軒樋２，３間を位置させる樋状体７の中央部２５は、軒樋２，３と同色に形成されているので、軒樋２，３の間に極僅かにでも隙間ができたとしても、軒樋２，３間の隙間を軒樋２，３と同化させて目立たなくすることができる。したがって、軒樋の接続構造Ｃを外観美麗にすることができるという効果が得られる。
また、中央部２５は軒樋２，３により形成される隙間よりも大きい幅寸法で形成されているため、軒樋２，３の突合せが樋状体７の側端部７ａ，７ｂ間の中央から若干ずれても軒樋２，３間を軒樋２，３と同色に見せて外観上一体的に見えるようにすることができるという効果が得られる。
【００３３】
以上、本発明の軒樋の接続構造Ｃ及び軒樋継手１の一実施形態について説明したが、本発明は、上記実施形態で示した構成に限定されるものではなく、本発明の趣旨を逸脱しない範囲で変更することができる。
すなわち、上記実施形態は、突き合せた軒樋２，３を直線状に接続する軒樋継手１について説明したが、本発明の軒樋継手１は曲がりタイプの軒樋継手１等に応用することもできる。
【００３４】
また、上記実施形態の軒樋継手１は、断面が多角形状の軒樋２，３に適用する場合について説明したが、半円弧状等の各種の形状の軒樋に適用することができる。
更に、凹溝１９のうち一部または全部、或は確認窓３０を省略してもよい。
【００３５】
また、接着剤は必ずしも予め接着部２４Ａ，２４Ｂの外面２７の全体に塗布する必要はなく、接着部２４Ａ，２４Ｂのそれぞれにおいて複数の帯状に塗布する等して、軒樋継手１の軒樋２，３への内嵌時に接着剤が接着部２４Ａ，２４Ｂの全体に拡がるようにすればよい。
【００３６】
また、接着剤充填孔１４は、接着部２４Ａ，２４Ｂにおいて接着剤の塗布が不十分になりやすい任意の位置に１個又は３個以上設けることができる。
また、確認窓３０は、接着剤の塗布状態を確認したい接着部２４Ａ，２４Ｂの任意の箇所に長孔形状又は円形その他の多角形形状で一又は複数形成してもよい。
【符号の説明】
【００３７】
１  軒樋継手，  ２，３  軒樋，  ４，５  端部，  ７  樋状体，  １４  接着剤充填孔，  １９  凹溝，  ２４Ａ，２４Ｂ  接着部，  ２５  中央部，    ３０  確認窓
【図１】
2015068082.tif 000003
【図２】
2015068082.tif 000004
【図３】
2015068082.tif 000005
【図４】
2015068082.tif 000006
【図５】
2015068082.tif 000007
【図６】
2015068082.tif 000008